(57)【要約】【課題】振動の多様性に優れた身体運動用振動機を提供する。【解決手段】座部材(1)の幅方向両側に立設した支持手段(4,4)に振動部材(2)の中央の幅方向両側に設けた軸手段(13)を軸支し、振動部材を上下駆動機構(5)により軸手段の廻りで上下振動させ、左右駆動機構(6)により軸手段と共に左右振動させる身体運動用振動機において、前記支持手段(4,4)に左右振動方向に延設されたガイド孔(17)に前記振動部材の軸手段(13)を挿入すると共に、軸手段を下側から支持するガイド孔の底面に前記左右移動方向に向けて交互に配置された凹凸から成る微振動発生手段(18)を設け、前記左右駆動機構(6)により振動部材(2)を左右振動させたとき、軸手段(13)が前記微振動発生手段(18)の凹凸を乗り越えながら左右移動することにより、振動部材(2)に微振動を与えるように構成している。【選択図】図５
2019072352.tif 000002
【特許請求の範囲】
【請求項１】
座部材(1)の幅方向両側に立設した支持手段(4,4)に対して、振動部材(2)の中央の幅方向両側に設けた軸手段(13)を軸支することにより、振動部材を前記軸手段の廻りで上下振動自在かつ前記軸手段と共に左右振動自在に支持すると共に、前記座部材に設置した駆動源(7)により、前記振動部材を上下振動させる上下駆動機構(5)と、前記振動部材を左右振動させる左右駆動機構(6)を設けて成る身体運動用振動機において、
前記支持手段(4,4)に左右振動方向に延びるガイド孔(17)を設け、該ガイド孔に前記振動部材の軸手段(13)を左右移動自在に挿入すると共に、軸手段を下側から支持するガイド孔の底面に前記左右移動方向に向けて交互に配置された凹凸から成る微振動発生手段(18)を設けており、
前記左右駆動機構(6)により振動部材(2)を左右振動させたとき、軸手段(13)が前記微振動発生手段(18)の凹凸を乗り越えながら左右移動することにより、振動部材(2)に微振動を与えるように構成して成ることを特徴とする身体運動用振動機。
【請求項２】
前記軸手段(13)は、軸部材(14)と、該軸部材に回転自在に外装された外筒部材(16)を備えており、
前記外筒部材(16)を前記ガイド孔(17)に左右移動自在に挿入して成ることを特徴とする請求項１に記載の身体運動用振動機。
【請求項３】
前記外筒部材(16)は、ベアリング(15)を介して前記軸部材(14)に回転自在に外装されて成ることを特徴とする請求項２に記載の身体運動用振動機。
【発明の詳細な説明】
【技術分野】
【０００１】
本発明は、身体運動用振動機に関する。
【背景技術】
【０００２】
従来、上下に配置した振動部材と座部材を備え、振動部材の中央部の幅方向に沿って配設した中心軸を第１の８字形リンクロッドと第２の８字形リンクロッドにより座部材に支持し、第１モータを第１偏心軸と第３の８字形リンクロッドを介して振動部材の前部に連結することにより該振動部材を上下振動させ、第２モータを第２偏心軸とリンクロッドを介して中心軸に連結することにより該振動部材を左右振動させるように構成した振動機が提案されている。
【先行技術文献】
【特許文献】
【０００３】
【特許文献１】実用新案登録第３１４９０９２号公報
【発明の概要】
【発明が解決しようとする課題】
【０００４】
上記の従来技術は、第２モータを停止した状態で第１モータを駆動することにより振動部材を上下振動させる第１モードが選択され、反対に、第１モータを停止した状態で第２モータを駆動することにより振動部材を左右振動させる第２モードが選択され、更に、第１モータと第２モータを同時に駆動することにより振動部材を上下振動と左右振動の両方を複合させた第３モードが選択され、これにより、多様性のある美容効果が得られると説明されている。
【０００５】
しかしながら、従来技術の場合、中心軸を支持する２本の８字形リンクロッドを左右に揺動させ、これにより振動部材を左右振動させる構成であるから、前記の第２モードによる左右振動が極めて単調となり、ユーザの身体に与える振動としての効果が乏しいという問題がある。
【０００６】
この種の身体運動用振動機は、種々の使用方法が可能であるが、主には、ユーザが振動部材の上に搭乗して起立し、或いは、片足を振動部材に載せ、このような状態で振動部材の振動を足の裏から受けることにより、バランス感覚の向上や、小刻みの振動による血行の促進を目的としている。ところが、単調な左右振動だけを行うときは、ユーザは、脚を左右に追従させると上体が安定するのでバランス感覚の向上には余り効果がなく、しかも、血行の促進にも十分な効果を期待できない。
【０００７】
本発明は、このような問題に鑑み、振動部材を左右振動させたとき、常に左右振動と同時に上下方向の微振動を発生させ、これにより、バランス感覚の向上や、血行の促進に大きく寄与できる身体運動用振動機の提供を目的としている。
【課題を解決するための手段】
【０００８】
そこで、本発明が手段として構成したところは、座部材の幅方向両側に立設した支持手段に対して、振動部材の中央の幅方向両側に設けた軸手段を軸支することにより、振動部材を前記軸手段の廻りで上下振動自在かつ前記軸手段と共に左右振動自在に支持すると共に、前記座部材に設置した駆動源により、前記振動部材を上下振動させる上下駆動機構と、前記振動部材を左右振動させる左右駆動機構を設けて成る身体運動用振動機において、前記支持手段に左右振動方向に延びるガイド孔を設け、該ガイド孔に前記振動部材の軸手段を左右移動自在に挿入すると共に、軸手段を下側から支持するガイド孔の底面に前記左右移動方向に向けて交互に配置された凹凸から成る微振動発生手段を設けており、前記左右駆動機構により振動部材を左右振動させたとき、軸手段が前記微振動発生手段の凹凸を乗り越えながら左右移動することにより、振動部材に微振動を与えるように構成して成る点にある。
【０００９】
本発明の好ましい実施形態において、前記軸手段は、軸部材と、該軸部材に回転自在に外装された外筒部材を備えており、前記外筒部材を前記ガイド孔に左右移動自在に挿入している。
【００１０】
この際、前記外筒部材は、ベアリングを介して前記軸部材に回転自在に外装するように構成することが好ましい。
【発明の効果】
【００１１】
本発明によれば、左右駆動機構６により振動部材２が左右振動を行う際、軸手段１３が微振動発生手段１８によりガタガタと振動しながら移動させられ、軸手段１３から振動部材２に対して上下方向の微振動を与えるので、ユーザのバランス感覚の向上や、血行の促進その他のために多大の効果をもたらすことができる。
【図面の簡単な説明】
【００１２】
【図１】本発明の１実施形態に係る振動機に関して、座部材及び駆動機構等と、振動部材及び軸手段等を上下方向に分解状態で示す斜視図である。
【図２】振動部材及び軸手段等を拡大して示す斜視図である。
【図３】座部材及び駆動機構等を拡大して示す斜視図である。
【図４】座部材及び駆動機構等と振動部材及び軸手段等を組付け状態で示す斜視図である。
【図５】振動機の縦断面を示しており、（Ａ）は駆動機構の一部を省略した全体の断面図、（Ｂ）はガイド孔と軸手段を示す拡大断面図である。
【図６】振動機の作用を示しており、（Ａ）は上下振動の作用を示す断面図、（Ｂ）は左右振動の作用を示す断面図である。
【図７】振動機の作用に関して、左右振動と同時に発生する微振動の作用を拡大して示す断面図である。
【発明を実施するための形態】
【００１３】
以下図面に基づいて本発明の好ましい実施形態を詳述する。
【００１４】
図１ないし図４に示すように、振動機は、座部材１と、振動部材２を備えている。座部材１は、矩形枠フレーム１ａに床板１ｂを敷設しており、後述する駆動源や駆動機構等が床板１ｂに設置される。振動部材２は、矩形フレーム２ａから成り、中央の幅方向両側に位置して矩形フレーム２ａからブラケット３、３を垂設している。
【００１５】
（座部材における構成）
座部材１は、中央の幅方向両側に位置して矩形フレーム１ａから支持手段４、４を立設しており、床板１ｂに上下駆動機構５と、左右駆動機構６を設置している。
【００１６】
上下駆動機構５は、電動モータから成る第１駆動源７ａにより、複数のプーリ等を含む伝動手段により構成された減速機構８ａを介して駆動回転される駆動軸９ａと、該駆動軸９ａの回転を上下運動に変換する偏心カム１０ａにより構成されている。
【００１７】
左右駆動機構６は、電動モータから成る第２駆動源７ｂにより、複数のプーリ等を含む伝動手段により構成された減速機構８ｂを介して駆動回転される駆動軸９ｂと、該駆動軸９ｂの回転を左右運動に変換する偏心カム１０ｂにより構成されている。
【００１８】
図示省略しているが、電動モータの電源は、振動機の本体に設けたスイッチや、別体のリモコンスイッチにより、第１駆動源７ａと第２駆動源７ｂを個別に駆動／停止するＯＮ／ＯＦＦと、第１駆動源７ａと第２駆動源７ｂの両方を同時に駆動／停止するＯＮ／ＯＦＦを可能とするように構成されている。
【００１９】
しかしながら、図示のように２個の電動モータを設けた構成とする他に、図示省略しているが、１個の電動モータから成る１個の駆動源７だけを設け、該駆動源と、上下駆動機構５及び左右駆動機構６の間に、動力伝達経路を構成すると共に、動力伝達経路の接続／断続を可能とする電磁クラッチ等のクラッチ手段を設け、各クラッチ手段を電気制御するように構成しても良く、これにより、上下駆動機構５と左右駆動機構６の個別選択的な駆動及び停止と、両者同時の駆動及び停止を可能にするように構成しても良い。
【００２０】
（振動部材における構成）
振動部材２は、前記上下駆動機構５の偏心カム１０ａの枢結片１１ａに臨んで枢結される従動片１２ａと、前記左右駆動機構６の偏心カム１０ｂの枢結片１１ｂに臨んで枢結される従動片１２ｂを設けている。
【００２１】
振動部材２のブラケット３、３を座部材１の支持手段４、４に連結するための軸手段１３が設けられている。図示実施形態の場合、軸手段１３は、振動部材２の幅方向に延びる軸部材１４と、軸部材１４の両端部にベアリング１５を介して回転自在に外装される外筒部材１６により構成され、外筒部材１６の軸端にはフランジ１６ａが設けられている。
【００２２】
（支持手段による軸手段の支持構成）
前記ブラケット３には、前記外筒部材１６を回転自在に挿通させる挿通孔３ａが形成されており、前記支持手段４には、前記外筒部材１６を左右移動自在に挿通させるガイド孔１７が形成されている。
【００２３】
図４及び図５に示すように、振動部材２を座部材１の上方から対面させると、ブラケット３、３が支持部材４、４の外側面に臨まされ、挿通孔３ａとガイド孔１７が相互に連通される。そこで、軸部材１４を中央に配置した状態で、挿通孔３ａの外側からベアリング１５を介して外筒部材１６を軸部材１４の両端部に外装すると、これにより、ブラケット３と支持部材４が連結され、座部材１の上方位置に振動部材２が連結状態で設置される。この際、図示省略しているが、外筒部材１６が軸部材１４の端部から脱落することを防止するための抜止め手段が設けられており、抜止め状態として外筒部材１６を挿通孔３ａとガイド孔１７に挿通させたとき、フランジ１６ａがブラケット３の外側面に添接される。
【００２４】
因みに、図示実施形態の場合、軸手段１３は、長尺とされた１本の軸部材１４により構成しているが、短軸とした２本の軸部材１４により構成しても良く、各軸部材１４にベアリング１５を介して外装した外筒部材１６をそれぞれの挿通孔３ａとガイド孔１７に挿通させるように構成しても良い。
【００２５】
以上のようにして上下に連結状態で配設された振動部材２と座部材１は、振動部材２から下側部分をケーシングに収納すると共に、振動部材２の上にユーザが搭乗する床板等を装着することにより、製品としての身体運動用振動機として提供される。
【００２６】
（微振動発生手段）
後述するように左右駆動機構６により振動部材２が左右振動させられたとき、該振動部材２に追従して軸手段１３も左右移動させられるので、図５に示すように、ガイド孔１７は、挿通された外筒部材１６の左右移動を許容するために必要十分とされる長さＬのものとして形成され、外筒部材１６を下側から支持するガイド孔１７の底面には、左右移動方向に向けて交互に配置された凹凸から成る微振動発生手段１８が設けられている。
【００２７】
この際、微振動発生手段１８を構成する凹部１８ａと凸部１８ｂは、外筒部材１６の直径により規定される周面に関して、左右移動時に外筒部材１６の周面が凹部１８ａに陥入すると共に凸部１８ｂを乗り越えることにより、ガタガタと振動しながら移動させられるような間隔寸法と高低差を有するように形成されている。
【００２８】
（作用）
図６（Ａ）は、振動部材２の上下振動に関する作用を示している。第１駆動源７ａを駆動回転すると、上下駆動機構５の駆動軸９ａが回転され、偏心カム１０ａを介して従動片１２ａを小刻みに上下動させ、これにより、振動部材２は、軸手段１３を中心とするシーソー構造の上下振動を行う。
【００２９】
図６（Ｂ）は、振動部材２の左右振動に関する作用を示している。第２駆動源７ｂを駆動回転すると、左右駆動機構６の駆動軸９ｂが回転され、偏心カム１０ｂを介して従動片１２ｂを小刻みに左右動させ、これにより、振動部材２は、軸手段１３と共に左右振動を行う。この際、上述のように、軸手段１３の外筒部材１６は、微振動発生手段１８の凹部１８ａへの陥入と凸部１８ｂの乗り越えを繰り返すことにより、ガタガタと振動しながら移動する。図示実施形態の場合、外筒部材１６は、図７に示すような振動波形１９を移動軌跡として上下方向の微振動を伴って移動し、このような微振動を振動部材２に与える。
【００３０】
この際、外筒部材１６は、ベアリング１５を介して軸部材１４の端部に回転自在に外装されているので、回転により微振動発生手段１８を乗り越えながら円滑に左右移動することが可能であり、これにより、外筒部材１６の摩耗が防止されると共に、好適に微振動を発生する。
【００３１】
このため、ユーザが振動部材の上に搭乗して起立し、或いは、片足を振動部材に載せた状態で、振動部材の振動を足の裏から受ける際、足の裏には振動部材２の左右振動と同時に上下方向の微振動が与えられるので、バランス感覚の向上と、血行の促進に多大の効果がある。
【００３２】
尚、第１駆動源７ａと第２駆動源７ｂを同時に駆動回転したときは、上下駆動機構５による振動部材２の上下振動と、左右駆動機構６による振動部材２の左右振動を複合した振動を生じさせることができ、この場合にも、左右振動に伴って同時に微振動発生手段１８による微振動が発生する。このような微振動発生手段１８による微振動は、軸手段１３の上下方向の微動として振動部材２に与えられるため、上下駆動機構５によるシーソー構造の上下振動とは異質の振動として生成され、振動の多様性に大きく貢献する。
【符号の説明】
【００３３】
１  座部材
１ａ  矩形フレーム
１ｂ  床板
２  振動部材
２ａ  矩形フレーム
３  ブラケット
３ａ  挿通孔
４  支持手段
５  上下駆動機構
６  左右駆動機構
７、７ａ、７ｂ  駆動源
８ａ、８ｂ  減速機構
９ａ、９ｂ  駆動軸
１０ａ、１０ｂ  偏心カム
１１ａ、１１ｂ  枢結片
１２ａ、１２ｂ  従動片
１３  軸手段
１４  軸部材
１５  ベアリング
１６  外筒部材
１６ａ  フランジ
１７  ガイド孔
１８  微振動発生手段
１８ａ  凹部
１８ｂ  凸部
１９  振動波形
【図１】
2019072352.tif 000003
【図２】
2019072352.tif 000004
【図３】
2019072352.tif 000005
【図４】
2019072352.tif 000006
【図５】
2019072352.tif 000007
【図６】
2019072352.tif 000008
【図７】
2019072352.tif 000009